(57)【特許請求の範囲】
【請求項１】
成形用の凹部を有する下型と、この下型に対して前記凹部に進入する先端部分を有する上型とを備え、上型と下型との間に位置する板材を、前記先端部分が前記凹部に進入することにより曲げるプレスブレーキにおいて、前記上型の先端部分よりも上部に、この上型の表面に露出して前記板材の前記上型との摺接に対する摩擦を低減する摩擦低減部材を設けたことを特徴とするプレスブレーキ。
【請求項２】
前記摩擦低減部材が、板材曲げ線方向と平行な方向に転動自在なローラ装置からなる請求項１記載のプレスブレーキ。
【請求項３】
プレスブレーキに用いられる上型であって、成形用の凹部を有する下型に進入する先端部分を有し、この先端部分よりも上部に、この上型の表面に露出して板材の摺接に対する摩擦を低減する摩擦低減部材を設けたプレスブレーキ用上型。
【発明の詳細な説明】
【０００１】
【発明の属する技術分野】
この発明は、プレスブレーキに関し、特にその曲げ加工後の板材排出の改良に関する。
【０００２】
【従来の技術】
プレスブレーキでは、上型と下型との間に位置する板材を、上型の下降によって上型先端部を下型の凹部に進入させることにより、曲げ加工を行う。このようなプレスブレーキにおいて、板材の各部を順次折り曲げ、最後に板材を角パイプ状に曲げ加工することがある。このように角パイプ状に曲げ加工した板材は、曲げ加工の完了時において、上型を両面から挟むような形となる。この角パイプ状の板材は、上型の曲げ線方向に沿って引き抜くことによりプレスブレーキから排出する。
【０００３】
【発明が解決しようとする課題】
しかし、角パイプ状に曲げられた板材は、上型を挟み付けるように上型の両面に強く押し付けられた状態になる。このため、板材を上型の曲げ線方向に沿って引き抜くときに、引き抜きが円滑に行えず、上型の表面が傷付くことがある。
【０００４】
この発明の目的は、このような課題を解消し、角パイプ状に折り曲げた板材を板材曲げ線方向に引き抜くときに、板材が上型の表面に強く接しても、板材を簡単に引き抜くことができ、上型に傷が付くのも防止できるプレスブレーキを提供することである。
【０００５】
【課題を解決するための手段】
この発明のプレスブレーキは、成形用の凹部を有する下型と、この下型に対して前記凹部に進入する先端部分を有する上型とを備え、上型と下型との間に位置する板材を、前記先端部分が前記凹部に進入することにより曲げるものであって、前記上型の先端部分よりも上部に、この上型の表面に露出して前記板材の前記上型との摺接に対する摩擦を低減する摩擦低減部材を設けている。
この構成によると、角パイプ状に折り曲げた板材を板材曲げ線方向に引き抜くときに、板材が上型の表面に接しても、板材は摩擦低減部材に接することになる。そのため、板材を簡単に引き抜くことができ、上型に傷が付くことも防止される。
前記摩擦低減部材は、板材曲げ線方向と平行な方向に転動自在なローラ装置からなるものであっても良い。この構成の場合、転動するローラ装置に板材が接するため、より一層小さい引き抜き力で上型から板材を円滑に引き抜くことができる。
【０００６】
この発明のプレス用上型は、成形用の凹部を有する下型に進入する先端部分を有し、この先端部分よりも上部に、この上型の表面に露出して板材の摺接に対する摩擦を低減する摩擦低減部材を設けたものである。摩擦低減部材は、例えば、上型の表面に露出して板材曲げ線方向と平行な方向に転動自在なローラ装置とされる。
この構成によると、プレスブレーキに用いることにより、角パイプ状に折り曲げた板材を板材曲げ線方向に引き抜くときに、板材が上型の表面に接しても、板材を簡単に引き抜くことができ、上型に傷が付くことも防止できる。
【０００７】
【発明の実施の形態】
この発明の一実施形態を図面と共に説明する。図１はこのプレスブレーキの正面図、図２はその側面図である。このプレスブレーキは、ベッド１上に成形用の凹部１２（図３）を有する雌型の下型２が取付けられ、ラム３の下端に前記下型２に対してその凹部１２に進入する先端部分１４（図３）を有する雄型の上型４が取付けられている。ラム３は、両側部でガイド５によりベッド１に昇降自在に設置され、ラム昇降駆動装置６により昇降駆動される。
下型２および上型４は、各々型幅方向に複数の分割型２ａ，４ａに分割されていて、分割型２ａ，４ａの配列個数の選択により、型幅変更が可能とされている。この型幅変更は、分割型２ａ，４ａを、加工に使用する使用位置（図示された位置）と退避位置との間に、分割型選択機構（図示せず）で移動させることにより行われる。
【０００８】
ベッド１には下型２の前後に板材支持台７およびゲージ８が設置されている。折り曲げるべき板材Ｗは、板材支持台７に載せられてゲージ８に当たるまで、下型２の上に挿入され、ラム３による上型４の下降により、雌型の下型２と雄型の上型４とで挟まれて、板材ＷがＶ字状等に折り曲げられる。
【０００９】
下型２は、板材Ｗの曲げ形状に応じて複数種類のものが前後に設置され、下型選択機構（図示せず）によって所望の下型２を使用位置に移動させるようにされている。上型４も、下型２の種類に対応する複数種類のものが、上型選択機構（図示せず）によってラム３に切換設置できるようにされている。
【００１０】
前記上型４の先端部分１４よりも上部には、図３および図４に側面図および正面図で示すように、この上型４の表面に露出して前記板材Ｗの上型４との摺接に対する摩擦を低減する摩擦低減部材であるローラ装置９が、各分割型４ａごとにそれぞれ設けられている。このローラ装置９は、上型４の表裏に露出する一対のローラ１０，１０からなり、板材曲げ線方向Ｘ（図１）と平行な方向に転動自在とされている。また、ローラ装置９の一対のローラ１０，１０は、図５に水平断面図で示すように、上型４の内部で、２条のローラ抱持溝１１ａを有する左右一対の支持部材１１，１１間に介在して、互いに接するように支持されている。さらに、ローラ装置９は、隣接する分割型４ａ，４ａの間で互いに上下に分けて配列されている。すなわち、一方の分割型４ａで上位置にローラ装置９が配置されると、その隣の分割型４ａでは下位置にローラ装置９が配置されており、上型４の全体では、板材曲げ線方向Ｘに沿って、各ローラ装置９が上下に千鳥状に配置されている。また、上位置のローラ装置９のローラ１０と、下位置のローラ装置９のローラ１０とは、上下方向において一部が重なる位置関係とされている。
【００１１】
上記構成のプレスブレーキにより、例えば図６（Ａ）〜（Ｃ）に示すように順次曲げ加工を行い、板材Ｗを角パイプ状に加工したときに、その加工板材Ｗは上型４から板材曲げ線方向Ｘに引き抜かれる。この引き抜き作業において、図３に仮想線で示すように、筒状に加工された板材Ｗの端部ａは上型４の表面に押し付け状態となることがある。しかし、その端部ａはローラ装置９のローラ１０に接することになり、上型４の表面には直接摺接することはない。その結果、板材Ｗの端部ａで上型４の表面が傷付けられることなく、上型４からの板材Ｗの引き抜き作業をローラ１０の回転により簡単に行うことができる。
【００１２】
また、ローラ装置９は、上型４の表裏に露出する一対のローラ１０，１０からなるので、板材Ｗの引き抜き作業をより円滑に行うことができる。さらに、前記一対のローラ１０，１０は上型４の内部で互いに接するように設置されていて、板材Ｗの引き抜き時に板材Ｗの摺接により一方のローラ１０が回転すると、その回転が他方のローラ１０に板材引き抜き側の回転となって伝達される。したがって、いずれか片側の面で引き抜き抵抗が大きな場合に、他方の引き抜き力で抵抗の大きな方の引き抜きの補助が得られ、小さい引き抜き力で板材Ｗをより簡単に引き抜くことができる。また、上型４の隣接する分割型４ａ，４ａの間で、ローラ装置９は上位置と下位置とに分けて配置されているので、上型４の剛性を全体にわたって平均化し、かつ極力小さく抑えることができ、また上型４と摺接する恐れのある板材Ｗの端部ａが上下方向のどの位置にあっても、板材Ｗを円滑に引き抜くことができる。特に、上位置のローラ装置９のローラ１０と下位置のローラ装置９のローラ１０とは、上下方向において一部が重なる位置関係とされているので、これら上下のローラ装置９，９の継ぎ目によって板材Ｗの引き抜きが妨げられるようなことがなく、板材Ｗを円滑に引き抜くことができる。
【００１３】
なお、この実施形態では、上型４から引き抜く板材Ｗと上型４との摺接に対する摩擦を低減する摩擦低減部材としてローラ装置９を設けたが、これに限らず板材Ｗを滑り良く引き抜くことのできるものであれば、他の部材であっても良い。
【００１４】
【発明の効果】
この発明のプレスブレーキは、成形用の凹部を有する下型と、この下型に対して前記凹部に進入する先端部分を有する上型とを備え、上型と下型との間に位置する板材を、前記先端部分が前記凹部に進入することにより曲げるものであって、前記上型の先端部分よりも上部に、この上型の表面に露出して前記板材の前記上型との摺接に対する摩擦を低減する摩擦低減部材を設けたため、角パイプ状に折り曲げた板材を板材曲げ線方向に引き抜くときに、板材が上型の表面に接しても、板材を簡単に引き抜くことができ、上型に傷が付くことも防止される。
前記摩擦低減部材が、板材曲げ線方向と平行な方向に転動自在なローラ装置からなる場合は、より一層小さい引き抜き力により、上型から板材を円滑に引き抜くことができる。
この発明のプレスブレーキ用上型は、成形用の凹部を有する下型に進入する先端部分を有し、この先端部分よりも上部に、この上型の表面に露出して板材の摺接に対する摩擦を低減する摩擦低減部材を設けたものとしたため、プレスブレーキに用いることにより、角パイプ状折り曲げた板材を板材曲げ線方向に引き抜くときに、板材が上型の表面に接しても、板材を簡単に引き抜くことができ、上型に傷が付くことも防止できる。
【図面の簡単な説明】
【図１】この発明の一実施形態に係るプレスブレーキの正面図である。
【図２】同プレスブレーキの側面図である。
【図３】同プレスブレーキにおける上型の側面図である。
【図４】同上型の部分正面図である。
【図５】同上型の部分水平断面図である。
【図６】前記プレスブレーキによる板材曲げ加工の一例を示す説明図である。
【符号の説明】
２…下型
４…上型
９…ローラ装置（摩擦低減部材）
Ｘ…板材曲げ線方向
Ｗ…板材
ａ…板材端部
【図１】
0004147746.tif 000002
【図２】
0004147746.tif 000003
【図３】
0004147746.tif 000004
【図４】
0004147746.tif 000005
【図５】
0004147746.tif 000006
【図６】
0004147746.tif 000007